(57)【要約】【課題】プラグインセンサを照明器具から取り外した状態と取り付けた状態との照明器具の外観の変化を少なくすることで意匠性の向上を図り、また、照明器具の表面にセンサ取付部のコネクタ部が露出しないようにすることで安全性の向上を図る。【解決手段】照明器具１は、照明ランプ２と、点灯制御するためのプラグインセンサ３と、プラグインセンサ３を器具筐体６に脱着自在に取り付るためのセンサ取付部４と、を備え、プラグインセンサ３の検知部７と受光部８を露出させた状態でプラグインセンサ３を覆うようにセンサ取付部４に脱着されるカバー部５を備える。このカバー部５が照明器具１の最表面に露出しているので、プラグインセンサ３の脱着に伴って照明器具１の外観は変化しないため意匠性が向上し、また、センサ取付部４のコネクタ部１０はカバー部５に覆われることによって露出しなくなるので安全性が向上する。【選択図】図１
2010033814.tif 000002
【特許請求の範囲】
【請求項１】
照明ランプと、前記照明ランプを点灯制御するためのセンサと、前記センサを器具筐体に脱着自在に取り付るためのセンサ取付部と、を備えたセンサ脱着式照明器具において、
前記センサの検出部を露出させた状態で前記センサを覆うように前記センサ取付部に脱着されるカバー部を備えたことを特徴とするセンサ脱着式照明器具。
【請求項２】
前記カバー部は、前記センサの検出部に対向する箇所に貫通孔を備え、
前記センサ取付部は、前記センサに給電するためのコネクタ部を備え、
前記コネクタ部は、前記貫通孔の法線に接しない位置に配置されることを特徴とする請求項１に記載のセンサ脱着式照明器具。
【請求項３】
前記センサの検出部は、人の存在を検出するための凸形状の検出部と、明るさを検出するための平面状の検出部と、を有し、
前記カバー部は、側方より前記センサをスライドして挿入するための開口と、前記センサを前記開口よりスライドしてカバー部に挿入するときに前記凸形状の検出部との干渉を避けるための切欠きと、を備えたことを特徴とする請求項１に記載のセンサ脱着式照明器具。
【発明の詳細な説明】
【技術分野】
【０００１】
本発明は、センサ検知により照明ランプを点灯制御することによって省エネルギーを図った照明器具において、特に、センサを照明器具から分離、付替え可能な構造である照明器具に関する。
【背景技術】
【０００２】
従来のセンサ付照明器具は、照明器具にセンサが内蔵される構造となっており、例えば、センサに人の在不在を検出させて照明器具を点灯、消灯、又は減光させることによって、無駄な照明電力の削減が可能である。しかしながら、例えば、センサの無い一般の照明器具が設置されている執務空間の一部をレイアウトの変更によって通路とする場合に、センサ制御によって人の通過時にのみ照明器具を点灯するようにしたいときは、既に設置されている一般の照明器具を本体ごとセンサ付照明器具に交換する必要があり無駄を生じていた。
【０００３】
そこで、センサ制御機能などを有する機能プラグと、機能プラグを挿抜できる取付部とを備え、用途に応じて機能プラグを差し替えることのできる照明器具が知られている（例えば、特許文献１参照）。この照明器具であれば、上記のようなレイアウト変更によってセンサ制御機能を照明器具に持たせたい場合に、照明器具にセンサ制御機能を有する機能プラグの一種であるプラグインセンサを取付部に取り付けるだけでよく、照明器具本体を交換する必要がない。
【０００４】
この種の照明器具を図１５（ａ）（ｂ）に示す。照明器具１８は、照明ランプ１９と、点灯制御するためのプラグインセンサ２０と、プラグインセンサ２０を器具筐体２１に脱着自在に取り付るためのセンサ取付部２２と、を備え、センサ取付部２２は、プラグインセンサ２０の保持や給電のためのコネクタ部２３を有する。
【０００５】
図１５（ａ）に示すように、センサ制御が不要のときは、センサ取付部２２からプラグインセンサ２０が取り外され、図１５（ｂ）に示すように、センサ制御が必要なときは、センサ取付部２２にプラグインセンサ２０が取り付けられる。しかしながら、プラグインセンサ２０の脱着によって、照明器具１８の外形が大きく変化するため、意匠上好ましくない。また、プラグインセンサ２０とセンサ取付部２２とが有線結線の場合において、センサ取付部２２からプラグインセンサ２０を取り外した状態のとき、センサ取付部２２に設けられたコネクタ部２３が照明器具１８の表面に露出してしまうため、安全上好ましくない。
【０００６】
また、センサ制御するためのセンシング機能としては主に人検知や明るさ計測がある。人検知デバイスは、熱線の移動を検出する手段や超音波の反射により移動物体を検出する手段などが用いられ、明るさ計測デバイスは、受光デバイスで被照射面からの反射光を計測する手段などが用いられる。どちらも検知エリア等を考慮すると光学設計に依存する空間が必要となることから、センサ取付部２２は一定の厚みがある形状となってしまい、薄くするには限度がある。
【特許文献１】特開２００２−１１０３７６号公報
【発明の開示】
【発明が解決しようとする課題】
【０００７】
本発明は、上記問題を解決するためになされたものであり、プラグインセンサをセンサ取付部から取り外した状態と、センサ取付部に取り付けた状態との照明器具の外観の変化を少なくすることで意匠性の向上を図り、また、照明器具の表面にセンサ取付部のコネクタ部が露出しないようにすることで安全性の向上を図ったセンサ脱着式照明器具を提供することを目的とする。
【課題を解決するための手段】
【０００８】
上記目的を達成するために請求項１の発明は、照明ランプと、前記照明ランプを点灯制御するためのセンサと、前記センサを器具筐体に脱着自在に取り付るためのセンサ取付部と、を備えたセンサ脱着式照明器具において、前記センサの検出部を露出させた状態で前記センサを覆うように前記センサ取付部に脱着されるカバー部を備えるものである。
【０００９】
請求項２の発明は、請求項１に記載の照明器具において、前記カバー部は、前記センサの検出部に対向する箇所に貫通孔を備え、前記センサ取付部は、前記センサに給電するためのコネクタ部を備え、前記コネクタ部は、前記貫通孔の法線に接しない位置に配置されるものである。
【００１０】
請求項３の発明は、請求項１に記載の照明器具において、前記センサの検出部は、人の存在を検出するための凸形状の検出部と、明るさを検出するための平面状の検出部と、を有し、前記カバー部は、側方より前記センサをスライドして挿入するための開口と、前記センサを前記開口よりスライドしてカバー部に挿入するときに前記凸形状の検出部との干渉を避けるための切欠きと、を備えたものである。
【発明の効果】
【００１１】
請求項１の発明によれば、センサがセンサ取付部に取り付けられた状態、及びセンサがセンサ取付部から取り外された状態のいずれであっても、カバー部が照明器具の最表面に露出しているので照明器具の外観は変化しないため意匠性が向上し、また、センサ取付部のコネクタ部はカバー部に覆われることによって露出しなくなるので安全性が向上する。
【００１２】
請求項２の発明によれば、センサがセンサ取付部から取り外された状態のときにユーザがカバー部の貫通孔から指を入れても、センサ取付部のコネクタ部に触れにくいため、安全性が向上する。
【００１３】
請求項３の発明によれば、センサはカバー部によって支えられようにして保持されるので、センサが落下することを防止できる。また、カバー部は切欠きによって検出部の凸状部分を覆う必要がないため、その分カバー部の大きさを小さくできるので、意匠性が向上する。さらに、カバー部は可動部などを有していないので、耐久性が向上する。
【発明を実施するための最良の形態】
【００１４】
（第１の実施形態）
本発明の第１の実施形態に係るセンサ脱着式照明器具（以下、照明器具という）について図１乃至図６を参照して説明する。図１は本実施形態の照明器具１の外観、図２はプラグインセンサ３とセンサ取付部４とカバー部５の外観を示す。照明器具１は、照明ランプ２と、照明ランプ２を点灯制御するためのセンサであるプラグインセンサ３と、プラグインセンサ３が脱着自在に取り付けられるための取付台であるセンサ取付部４と、プラグインセンサ３を覆うように収容すると共にセンサ取付部４に保持されるカバー部５と、照明ランプ２やセンサ取付部４を保持するための器具筐体６と、を備える。
【００１５】
照明ランプ２は、蛍光管、白熱球、ＬＥＤ等である。照明器具１は、プラグインセンサ３の出力信号に基づいて照明ランプ２を点灯制御する点灯制御回路などを器具筐体６内に備える。その点灯制御は、例えば、オン・オフ制御、位相制御、パルス幅制御、振幅制御などである。
【００１６】
プラグインセンサ３とセンサ取付部４は、電気的に相互接続するためのコネクタ部９とコネクタ部１０をそれぞれ備える。コネクタ部９、１０は、器具筐体６からセンサ取付部４を介してプラグインセンサ３へ給電するための電源端子と、プラグインセンサ３からセンサ取付部４を介して器具筐体６内の点灯制御回路に出力信号を送信するための信号端子などを有する。プラグインセンサ３がセンサ取付部４に取り付けられた状態で、コネクタ部９とコネクタ部１０が電気的に接続される。コネクタ部１０の電源端子は、充電部分であり、その充電部分がセンサ取付部４から突出しないように、コネクタ部１０をメス・コネクタ、コネクタ部９をオス・コネクタとすることが好ましい。
【００１７】
プラグインセンサ３は、人の存在を検出するための凸形状の検出部である人検知センサの検知部７と、明るさを検出するための平面状の検出部である明るさセンサの受光部８と、を備える。プラグインセンサ３がセンサ取付部４に取り付けられた状態において、検知部７と受光部８は、それぞれ、赤外線、可視光線を検出するように露出する。
【００１８】
センサ取付部４は、カバー部５を保持するための爪受け穴１１を備え、器具筐体６の下面に設けられる。また、プラグインセンサ３及びセンサ取付部４は、センサ取付部４に取り付けられたプラグインセンサ３を保持するための保持構造を備える。保持構造として、例えば、互いに脱着自在に係合する部材をプラグインセンサ３及びセンサ取付部４に設けた構造や、互いに磁気結合する永久磁石と鉄片などを備えた構造を用いればよい。また、コネクタ部９、１０が、プラグインセンサ３をセンサ取付部４に保持する保持構造を兼ねてもよい。
【００１９】
カバー部５は、上面が開口した有底箱形状をしており、プラグインセンサ３をセンサ取付部４に取り付けたときに検知部７と受光部８とに対向する箇所にそれぞれ貫通孔１２ａと１２ｂを備える。また、カバー部５は、センサ取付部４の爪受け穴１１に対向する箇所に、センサ取付部４に保持されるための爪部１３を備える。なお、プラグインセンサ３を取り外した状態でカバー部５をセンサ取付部４に取り付けたとき、貫通孔１２ａ、１２ｂが目立つようであれば、貫通孔１２ａ、１２ｂに蓋をしてもよく、その蓋はプラグインセンサ３を取り付けるときに取り外せばよい。
【００２０】
図３（ａ）（ｂ）はプラグインセンサ３を取り外した状態のセンサ取付部４とカバー部５の外観を示す。カバー部５をセンサ取付部４に取り付ける際は、カバー部５の爪部１３をセンサ取付部４の爪受け穴１１に挿入し互いを嵌合させる。カバー部５をセンサ取付部４から取り外す際は、カバー部５の爪部１３が設けられている側面を押して内側へしならせることによって、爪部１３と爪受け穴１１の嵌合を外すことができる。
【００２１】
図４及び図５は、カバー部５の貫通孔１２ａ、１２ｂの法線１２ｃ、１２ｄとセンサ取付部４のコネクタ部１０の位置関係を示す。コネクタ部１０は、法線１２ｃ、１２ｄと接しない位置に設けられているので、プラグインセンサ３がセンサ取付部４から取り外された状態のときに、ユーザがカバー部５の貫通孔１２ａ、１２ｂから指を入れてもセンサ取付部４のコネクタ部１０に触れにくいため、安全性が向上する。
【００２２】
図６（ａ）（ｂ）（ｃ）は、センサ取付部４にカバー部５のみが取り付けられている状態から、センサ取付部４にプラグインセンサ３とカバー部５が取り付けられている状態に至るまでの手順を時系列に示す。図６（ａ）に示されるように、カバー部５は、爪受け穴１１と爪部１３の嵌合が外されることによって、センサ取付部４から取り外される。次に、図６（ｂ）に示されるように、プラグインセンサ３がセンサ取付部４に取り付けられ、コネクタ部９がコネクタ部１０と電気的に接続される。続いて、図６（ｃ）に示されるように、プラグインセンサ３の検知部７、受光部８が貫通孔１２ａ、１２ｂから露出させた状態となるようにして、カバー部５は、爪部１３を爪受け穴１１に嵌合させることによって、センサ取付部４に取り付けられる。
【００２３】
図６（ａ）に示されるようなセンサ取付部４にカバー部５のみが取り付けられている状態、図６（ｃ）に示されるようなセンサ取付部４にプラグインセンサ３とカバー部５が取り付けられている状態のいずれであっても、カバー部５が照明器具１の最表面に露出しているので、プラグインセンサ３の脱着に伴って照明器具１の外観は変化しないために意匠性が向上し、また、センサ取付部４のコネクタ部１０はカバー部５に覆われることによって露出しなくなるので安全性が向上する。
【００２４】
（第２の実施形態）
本発明の第２の実施形態に係る照明器具について図７及び図８を参照して説明する。本実施形態の照明器具１のカバー部５は、その一側面とセンサ取付部４の一側面とが回動部を介して保持されることによって、回動部を軸にして回動可能な構造であることが第１の実施形態と異なっている。
【００２５】
図７（ａ）（ｂ）は、本実施形態の照明器具１のセンサ取付部４とカバー部５の構成を示す。センサ取付部４は、側面に突起部１４ａと、突起部１４ａが設けられた側面と対向する側面に爪受け部１１と、を備える。カバー部５は、側面に受け部１４ｂと、受け部１４ｂが設けられた側面と対向する側面に爪部１３と、を備える。回動部であるヒンジ部１４は突起部１４ａと受け部１４ｂとを嵌合させることによって形成される。
【００２６】
カバー部５は、ヒンジ部１４と、爪受け部１１に嵌合された爪部１３の２箇所によってセンサ取付部４に保持される。また、カバー部５は、爪受け部１１と爪部１３の嵌合が外されたとき、センサ取付部４と繋がったままヒンジ部１４を軸にして回動可能な構造である。
【００２７】
図８（ａ）（ｂ）（ｃ）は、センサ取付部４にカバー部５のみが取り付けられている状態から、センサ取付部４にプラグインセンサ３とカバー部５が取り付けられている状態に至るまでの手順を時系列に示す。図８（ａ）に示されるように、カバー部５は、爪受け穴１１と爪部１３との嵌合が外された後に、ヒンジ部１４を軸にして回動させることによって、センサ取付部４から取り外される。次に、図８（ｂ）に示されるように、プラグインセンサ３がセンサ取付部４に取り付けられ、コネクタ部９がコネクタ部１０と電気的に接続される。続いて、図８（ｃ）に示されるように、プラグインセンサ３の検知部７、受光部８を貫通孔１２ａ、１２ｂから露出させた状態となるようにして、カバー部５は、取り外されたときと逆方向にヒンジ部１４を軸にして回動させられた後に、爪部１３を爪受け穴１１に嵌合させることによって、センサ取付部４に取り付けられる。
【００２８】
カバー部５は、プラグインセンサ３の挿抜の際にセンサ取付部４から取り外されたとき、センサ取付部４とヒンジ部１４で繋がったままである。そのため、カバー部５は、紛失防止のために別途保管する必要がなくなるのでユーザの作業性が向上する。
【００２９】
（第３の実施形態）
本発明の第３の実施形態に係る照明器具について図９及び図１０を参照して説明する。本実施形態の照明器具１は、センサ取付部の機能を備えるカバー部であるカバー体５０（以下、カバー体５０という）を備え、このカバー体５０の側方よりプラグインセンサ３が挿入されて取り付けられる構造であることが第１の実施形態と異なっている。
【００３０】
図９（ａ）（ｂ）は、本実施形態の照明器具１のプラグインセンサ３とカバー体５０の構成を示す。カバー体５０は、有底箱形状であり、側面にプラグインセンサ３をスライドして挿入するための開口１５と、プラグインセンサ３を開口１５よりスライドしてカバー体５０に挿入するときに検知部７との干渉を避けるための切欠き１６と、開口１５と対向する側面の内側にコネクタ部１０と、を備える。なお、プラグインセンサ３をカバー体５０から取り外した状態で開口１５、切欠き１６が目立つのであれば、貫通孔１２ｂと同様に蓋をしてもよく、その蓋はプラグインセンサ３を取り付けるときに取り外せばよい。
【００３１】
プラグインセンサ３は、カバー体５０へ挿入される側の側面にコネクタ部９を備え、検知部７が受光部８に比べてコネクタ部９から遠い箇所に配置されるように構成されている。また、プラグインセンサ３は、カバー体５０に挿入されて取り付けられたとき、カバー体５０の底面によって支えられるようにして保持される。
【００３２】
図１０（ａ）（ｂ）（ｃ）は、カバー体５０に何も挿入されていない状態から、カバー体５０にプラグインセンサ３が取り付けられている状態に至るまでの手順を時系列に示す。図１０（ａ）（ｂ）に示されるように、プラグインセンサ３は、カバー体５０の開口１５から挿入され、検知部７を露出させた状態で切欠き１６に沿ってスライドさせられる。次に、図１０（ｃ）に示されるように、プラグインセンサ３は、そのコネクタ部９とコネクタ部１０とが電気的に接続されると共に、検知部７、受光部８が切欠き１６、貫通孔１２ｂから露出した状態でカバー体５０に取り付けられる。
【００３３】
プラグインセンサ３は、カバー体５０の底面に支えられるようにして保持されるため、落下することが防止される。また、カバー体５０は、切欠き１６によって検知部７の凸状部分を覆う必要がないため、その分カバー体５０の大きさを小さくできるので、意匠性が向上する。検知部７を受光部８に比べてプラグインセンサ３の挿入側の面から遠い方にレイアウトすることにより、プラグインセンサ３とカバー体５０の干渉を避けるために必要となる切欠き１６の長さが短くなるため、意匠性が向上する。さらに、カバー体５０は、可動部を有さず、センサ取付部とカバー部とが一体となっている構造であるため、耐久性が向上する。
【００３４】
（第４の実施形態）
本発明の第４の実施形態に係る照明器具について図１１乃至図１４を参照して説明する。本実施形態の照明器具１のカバー体５０は、その底面からプラグインセンサ３が挿入されて取り付けられ、プラグインセンサ３が挿入されていないときはコネクタ部１０を完全に隠すことができる構造であることが第１の実施形態と異なっている。
【００３５】
図１１は、本実施形態の照明器具１のプラグインセンサ３とカバー体５０の構成を示し、図１２は、カバー体５０の底面の構成を示す。カバー体５０は、底面にプラグインセンサ３をスライドして挿入するための開口１５と、プラグインセンサ３を取り外したときに開口１５を塞ぐための扉部材１７と、を備える。扉部材１７は、回動可能となるための回動部１７ａと、開口１５を塞ぐ位置で回動動作を停止させるための係止部１７ｂとを有する。また、カバー体５０は、開口１５と対向する上面の内側にコネクタ部１０を備える。プラグインセンサ３は、カバー体５０へ挿入される側の側面にコネクタ部９を有する。
【００３６】
プラグインセンサ３及びカバー体５０は、カバー体５０に取り付けられたプラグインセンサ３を保持するための保持構造を備える。保持構造として、例えば、互いに脱着自在に係合する部材をプラグインセンサ３及びカバー体５０に設けた構造や、互いに磁気結合する永久磁石と鉄片などを備えた構造を用いればよい。また、プラグインセンサ３及びカバー体５０は、プラグインセンサ３をカバー体５０に取り付けたとき、プラグインセンサ３の底面がカバー体５０の底面と略面一となる構造である。
【００３７】
図１３に示されるように、扉部材１７は、プラグインセンサ３の挿入に従って矢印Ａ方向に回動し、カバー体５０内に格納される。また、扉部材１７は、プラグインセンサ３がカバー体５０から取り外されたとき、矢印Ａ方向と逆方向に手動で回動させて閉じられようになっているが、バネの力で閉じられる構造であってもよい。
【００３８】
図１４（ａ）（ｂ）（ｃ）は、カバー体５０の内部に何も挿入されていない状態から、カバー体５０にプラグインセンサ３を取り付けられている状態に至るまでの手順を時系列に示す。図１４（ａ）（ｂ）に示されるように、プラグインセンサ３は、カバー体５０の開口１５から扉部材１７を回動させつつ挿入される。次に、図１４（ｃ）に示されるように、プラグインセンサ３は、そのコネクタ部９とコネクタ部１０とが電気的に接続され、検知部７、受光部８を有する底面を露出させた状態でカバー体５０に取り付けられる。
【００３９】
プラグインセンサ３は、プラグインセンサ３を取り外したときに、扉部材１７によってコネクタ部１０等が完全に隠れるため、意匠性が向上し、かつ、ユーザがコネクタ部１０に触れにくくなり安全性が向上する。
【００４０】
なお、本発明は、上記の実施形態の構成に限られず、発明の要旨を変更しない範囲で種々の変形が可能である。例えば、プラグインセンサに加えてリモコン通信部をセンサ取付部に備え、これらセンサやリモコン通信部を覆うようにしてカバー部が設けられる形態のものであっても構わない。
【図面の簡単な説明】
【００４１】
【図１】本発明の第１の実施形態に係るセンサ脱着式照明器具の外観図。
【図２】同器具のプラグインセンサとセンサ取付部とカバー部の外観図。
【図３】（ａ）は同器具のセンサ取付部とカバー部の側面方向からの外観図、（ｂ）は同器具のセンサ取付部とカバー部の他方の側面方向からの外観図。
【図４】同器具のカバー部の貫通孔からセンサ取付部にかけて法線を引いた状態を示す外観図。
【図５】同器具のカバー部の貫通孔からセンサ取付部にかけて法線を引いた状態を示す側面図。
【図６】（ａ）〜（ｃ）は同器具のセンサ取付部へのプラグインセンサの取り付け動作を時系列に説明する図。
【図７】（ａ）は本発明の第２の実施形態に係る同器具のセンサ取付部とカバー部の外観図、（ｂ）は同器具のセンサ取付部とカバー部の分解図。
【図８】（ａ）〜（ｃ）は同器具のセンサ取付部へのプラグインセンサの取り付け動作を時系列に説明する図。
【図９】（ａ）は本発明の第３の実施形態に係る同器具のプラグインセンサの一方の側面図、（ｂ）は同プラグインセンサの底面図、（ｃ）は同プラグインセンサのコネクタ部側から見た他方の側面図、（ｄ）は同器具のカバー部の一方の側面図、（ｂ）は同カバー部の底面図、（ｃ）は同カバー部の開口側から見た他方の側面図。
【図１０】（ａ）〜（ｃ）は同器具のカバー体へのプラグインセンサの取り付け動作を時系列に説明する図。
【図１１】本発明の第４の実施形態に係る同器具のプラグインセンサとカバー部の外観図。
【図１２】同カバー部の底面図。
【図１３】同カバー部の扉部材が回動している状態を示す外観図。
【図１４】（ａ）〜（ｃ）は同器具のカバー体へのプラグインセンサの取り付け動作を時系列に説明する図。
【図１５】（ａ）は従来の照明器具からプラグインセンサが取り外されている状態を示す外観図、（ｂ）は同器具にプラグインセンサが取り付けられている状態を示す外観図。
【符号の説明】
【００４２】
１  照明器具
２  照明ランプ
３  プラグインセンサ（センサ）
４  センサ取付部
５  カバー部
５０  カバー体（カバー部）
６  器具筐体
７  検知部（凸形状の検出部）
８  受光部（平面状の検出部）
１０  コネクタ部
１２ａ、１２ｂ  貫通孔
１２ｃ、１２ｄ  法線
１５  開口
１６  切欠き
【図１】
2010033814.tif 000003
【図２】
2010033814.tif 000004
【図３】
2010033814.tif 000005
【図４】
2010033814.tif 000006
【図５】
2010033814.tif 000007
【図６】
2010033814.tif 000008
【図７】
2010033814.tif 000009
【図８】
2010033814.tif 000010
【図９】
2010033814.tif 000011
【図１０】
2010033814.tif 000012
【図１１】
2010033814.tif 000013
【図１２】
2010033814.tif 000014
【図１３】
2010033814.tif 000015
【図１４】
2010033814.tif 000016
【図１５】
2010033814.tif 000017